(57)【要約】【課題】  使い勝手のよい安価に実現できる情報提供システムを得る。【解決手段】  利用者が情報の提供を受けたい場合は、ＩＣカード２又はＩＣチップ搭載携帯電話機を情報取得Ｒ／Ｗ部５にタッチする。ＩＣカード２をタッチした場合は、情報取得Ｒ／Ｗ部５はＩＤを取得し、このIDに関連づけられた携帯電話機３のメールアドレスにアプリケーションを指定するメールを送信する。携帯電話機３は受信したメールで指定されたアプリケーションを起動し、情報が表示される。また、携帯電話機３をタッチした場合は、直接携帯電話機３のアプリケーションが起動される。本システムは特に高いセキュリティを必要としないので、IDとしては認証の要らないIDｍを用いて安価に実現できる。【選択図】        図１
2007018151.tif 000002
【特許請求の範囲】
【請求項１】
利用者が所有するＩＣカード又は携帯端末に設けられ、乗車券・定期券情報が記録されたＩＣチップと通信することにより前記ＩＣチップのＩＤを取得する自動改札機に設けられた情報取得手段と、
前記取得したＩＤに基づいて、該ＩＤに関連付けて事前に登録された携帯端末のメールアドレスを取得するアドレス取得手段と、
前記取得したメールアドレスを有する携帯端末に対して、この携帯端末における所定のアプリケーションソフトを起動するための電子メールを送信するメール送信手段とを備えたことを特徴とする自動改札機による情報提供システム。
【請求項２】
前記情報取得手段は、前記メールアドレスを有する携帯端末に対して前記所定のアプリケーションを起動する信号を発信することを特徴とする請求項１記載の自動改札機による情報提供システム。
【請求項３】
前記情報取得手段、アドレス取得手段及びメール送信手段は、前記自動改札機の自動改札システム系とは独立した別の系で構成されることを特徴とする請求項１又は２記載の自動改札機能による情報提供システム。
【請求項４】
前記自動改札機は入場・退場を検出する検出手段を備え、この検出手段から得られる利用者の入場・退場の検出情報に基づいて前記携帯端末における前記起動するアプリケーションソフトを異ならせるようにしたことを特徴とする請求項１，２又は３記載の自動改札機による情報提供システム。
【請求項５】
前記自動改札機から入場した領域及び／又は退場した領域に前記自動改札機が取得したIDに基づいて情報を提供するための前記情報取得手段を備えた情報提供端末を設けたことを特徴とする請求項１〜４のいずれか１項記載の自動改札機による情報提供システム。
【請求項６】
自動改札機能を有する自動改札機において、
利用者が所有するＩＣカード又は携帯端末に設けられ、乗車券・定期券情報が記録されたＩＣチップと通信することにより前記ＩＣチップのＩＤを取得し、取得したIDを情報提供システムに送信する情報取得手段を設けたことを特徴とする自動改札機。
【請求項７】
入場・退場を検出する検出手段を備え、この検出手段から得られる利用者の入場・出場の検出情報を前記情報取得手段から前記情報提供システムに送信することを特徴とする請求項６記載の自動改札機。
【請求項８】
前記情報取得手段は、前記自動改札機能のシステムとは別の系として構成された前記情報提供システムに設けられることを特徴とする請求項６又は７記載の自動改札機。
【発明の詳細な説明】
【技術分野】
【０００１】
本発明は、自動改札機を用いて利用者が所有する携帯端末に所望の情報を提供する情報提供システム及びこのシステムで用いられる自動改札機に関するものである。
【背景技術】
【０００２】
従来より、利用者が鉄道の自動改札機を通ることにより、その利用者が所有する携帯電話機に対してタウン情報や駅構内情報等の種々の情報を提供するようにした情報提供システムが提案されている（例えば、特許文献１，２参照）。
【特許文献１】特開２００４−５２４２号公報
【特許文献２】特開２００４−２１９１８号公報
【発明の開示】
【発明が解決しようとする課題】
【０００３】
しかしながら従来の情報提供システムでは、利用者が乗車券、定期券やＳｕｉｃａ(登録商標)等のＩＣカードと所定の会員カードとの２枚のカードを同時に用いなければ情報の提供を受けることができない等、使い勝手がよくないという問題があった。
そこで本発明は、利用者の所有する携帯電話機に情報を提供することができる使い勝手のよい情報提供システムを得ることを課題とする。
【課題を解決するための手段】
【０００４】
本発明による自動改札機による情報提供システムは、利用者が所有するＩＣカード又は携帯端末に設けられ乗車券・定期券情報が記録されたＩＣチップと通信することにより前記ＩＣチップのＩＤを取得する自動改札機に設けられた情報取得手段と、前記取得したＩＤに基づいて、該ＩＤに関連付けて事前に登録された携帯端末のメールアドレスを取得するアドレス取得手段と、前記取得したメールアドレスを有する携帯端末に対して、この携帯端末における所定のアプリケーションソフトを起動するための電子メールを送信するメール送信手段とを備えたことを特徴とするものである。
【０００５】
本発明による自動改札機能を有する自動改札機は、利用者が所有するＩＣカード又は携帯端末に設けられ乗車券・定期券情報が記録されたＩＣチップと通信することにより前記ＩＣチップのＩＤを取得し、取得したIDを情報提供システムに送信する情報取得手段を設けたことを特徴とするものである。
【発明の効果】
【０００６】
本発明によれば、利用者はＩＣカード又はＩＣチップを搭載した携帯電話機のみを自動改札機に設けられた情報取得手段に情報が欲しいときのみタッチすればよいので、使い勝手がよい。また、従来の自動改札系のシステムとは別の特に高いセキュリティを必要としないシステムに構成できるので、安価に実現することができる。
【発明を実施するための最良の形態】
【０００７】
以下、本発明の実施の形態を図面と共に説明する。
図１は本発明の実施の形態による自動改札機による情報提供システムを概念的に示す構成図である。
図１において、本実施の形態においては、鉄道用の自動改札機１に対してＩＣカード２
又はＩＣチップ搭載携帯電話機３(以下、単に携帯電話機３と言う)が使用される。ＩＣカード２は、乗車券、定期券情報を記録したＩＣチップを内蔵するカードであり、例えばＳｕｉｃａ(登録商標)を用いてよい。携帯電話機３は乗車券、定期券情報を記録したＩＣチップを搭載した携帯電話機であり、例えばモバイルＳｕｉｃａ(登録商標)を用いてよい。尚、携帯電話機３には、本発明により情報を提供するためのアプリケーションが搭載されている。
【０００８】
自動改札機１には、従来の自動改札システムで用いられている自動改札機能を有する改札Ｒ／Ｗ（読み書き）部４と、ＩＣカード２又は携帯電話機３からID等の情報を取得するための本発明による情報取得Ｒ／Ｗ部５とが設けられている。改札Ｒ／Ｗ部４及び情報取得Ｒ／Ｗ部５には、それぞれ図示のようなマークが表示されている。尚、自動改札機１には通常の乗車券や定期券を挿入する挿入口があってもよい。
【０００９】
利用者がＩＣカード２又は携帯電話機３を改札Ｒ／Ｗ部４にタッチして（あるいはかざして）自動改札機１を通る際、情報の提供を受けたい場合は、次に情報取得Ｒ／Ｗ部５にタッチする。ＩＣカード２をタッチした場合は、ＩＣカード２のＩＤと関連付けられた携帯電話機３のメールアドレスに所定のアプリケーションを指定する電子メール６が送信され、これにより携帯電話機３に搭載された所定のアプリケーションが起動される。また、携帯電話機３をタッチした場合は、携帯電話機３に搭載された所定のアプリケーションが直接起動される。
【００１０】
上記のようにして携帯電話機３のアプリケーションが起動されると、その駅・時間に合わせた情報が表示されることで利用者が情報を受け取ることができる。また、メニュー等が表示され、利用者が選択することにより、情報提供サーバからコンテンツ情報が携帯電話機３に送信され表示される。また、予め利用者の性別・年齢・嗜好等の個人情報を登録しておき、それに合わせた情報を提供することにより、提供する情報の有用性を高めることができる。尚、ＩＣカード２を用いる場合は携帯電話機３はＩＣチップを搭載しないものであってもよい。
【００１１】
図２は本発明の実施の形態による自動改札機による情報提供システムと従来の自動改札システムの全体構成を概念的に示すもので、改札Ｒ／Ｗ部４と関連し、従来の自動改札システムである業務系システム７と、情報取得Ｒ／Ｗ部８と関連し、本発明による情報提供システムである情報サービス系システム７とからなる。これらの２つのシステム７，８は図示のように互いに独立している。ここで、通常のＩＣカードには、２種類のIDがあって、事業管理者が発行するセキュリティの高い鍵（認証）が必要なＩＤｉと、カードの製造時に発行されるセキュリティは低いが、認証が必要なＩＤｍとがある。携帯電話機３のＩＣチップについても同様にＩＤｉとＩＤｍを有している。
【００１２】
業務系システム７には、改札Ｒ／Ｗ部４と鉄道用ネットワーク等を介して通信する駅管理サーバ９とＩＤｉ管理サーバ１０が設けられている。情報サービス系システム８には、情報取得Ｒ／Ｗ部５とインターネット等のネットワークを介して通信するＩＤｍ取得部１１、メールサーバ１２及びＩＤｍ管理部１３が設けられている。業務系システム７は、セキュリティの高い認証を必要とするＩＤｉを用いている。情報サービス系システム８は、特にセキュリティを高くする必要はないので、認証を必要としないＩＤｍを用いてシステムを構築することができ、安価なコストで実現することができる。ＩＤｍ管理部１３には、ユーザのＩＤｍとメールアドレスを予め登録しておく。
【００１３】
次に、ユーザがＩＣカードを持つ場合と、携帯電話機３を持つ場合の動作について図３、図４のフローチャートを用いて説明する。
図３はＩＣカードを持つ場合を示すもので、ＩＣカード２を改札Ｒ／Ｗ部４にタッチした後の動作を示している。
図３において、利用者が情報の提供を受けたい場合は、ＩＣカード２を情報取得Ｒ／Ｗ部５にタッチする（Ｓ１）。情報取得Ｒ／Ｗ部５はＩＣカード２と通信してそのID（ここではＩＤｍ）を読み取り、ＩＤｍ取得部１１に送る。次にこのIDがＩＤｍ管理部１３において携帯電話機３のメールアドレスと関連付けられているか否かを判断する（Ｓ２）。関連付けられていなければ何もせず（Ｓ３）、関連付けられていれば、ＩＤと対応するメールアドレスを指定し（Ｓ４）、アプリケーションを指定するメールを送信する。メールには、受信時に起動するアプリケーションを指定する内容が記載されていてもよい（Ｓ５）。携帯電話機3は受信したメールで指定されたアプリケーションを起動する（Ｓ６）。
【００１４】
図４は利用者が携帯電話機３を持つ場合を示すもので、携帯電話機３を改札Ｒ／Ｗ部４にタッチした後の動作を示している。
図４において、利用者が情報の提供を受けたい場合は、携帯電話機３を情報取得Ｒ／Ｗ部５にタッチする（Ｓ１１）。情報取得Ｒ／Ｗ部５は携帯電話機３と通信してそのID（ここではＩＤｍ）を読み取り、ＩＤｍ取得部１１に送る。また、情報取得Ｒ／Ｗ部５は携帯電話機３に対して所定のアプリケーションを起動するためのコマンドを発信する。携帯電話機３は指定されたアプリケーションがインストール（又はダウンロード）されているか否かを判断する（Ｓ１２）。インストールされている場合は、その指定されたアプリケーションが起動される（Ｓ１３）。
【００１５】
所定のアプリケーションがインストールされていない場合は、取得したＩＤがＩＤｍ管理部１３において携帯電話機３のメールアドレスと関連付けられているか否かを判断し（Ｓ１４）、関連付けられていなければ何もせず（Ｓ１５）、関連付けられていれば、そのメールアドレスを指定して（Ｓ１６）、アプリケーションを指定するメールを送信する(Ｓ１７)。
【００１６】
次に、自動改札機１から駅構内に入場する場合に利用者に提供する情報と、退場して街中に出る場合に利用者に提供する情報とが異なるようにする場合について説明する。
入場する場合は、例えば駅構内案内、列車発着時刻、列車運行状況、路線案内、事故等々の情報を提供し、退場する場合は、例えば商店、飲食店、娯楽施設等々に関するタウン情報等を提供する。図１の例は携帯電話機３に運行情報を表示した場合を示している。
【００１７】
情報サービス系システム８は業務系システム７とは別のシステムであり、情報取得Ｒ／Ｗ部５はそれ自体では利用者が入場するのか退場するのかが判断できず、提供すべき情報の種類が判らない。そこで本実施の形態では、従来の自動改札機に設けられている不正に入場・退場する侵入者を検出するためのセンサを利用して入退場を判定するようにしている。これは、一つの情報取得Ｒ／Ｗ部５を、入場・出場の両方の利用者がタッチするため必要になるのであり、情報取得Ｒ／Ｗ５を改札Ｒ／Ｗ４と１対１で設置し、入場または出場専用とした場合は不要である。
【００１８】
図５はＩＣカード２を用いる場合に入退場で異なる情報を利用者に提供する場合の構成及び動作のフローチャートを示す。
図５において、自動改札機１の前部及び後部には侵入を検出する２つのセンサ１４，１５が設けられている。自動改札機１を通過する利用者をセンサ１４，１５のいずれかが先に検出すると方向判定部１６により入場・退場を判定することができる。
【００１９】
利用者がＩＣカード２を改札Ｒ／Ｗ部４にタッチすると自動改札が行われる（Ｓ２１）。このとき方向判定部１６による入退場判定情報が得られている。情報の提供を受けたい場合は、次にＩＣカード２を情報取得Ｒ／Ｗ部５にタッチすると（Ｓ２２）、ＩＤ（IDｍ）が取得され、このIDに基づいてIDｍ管理部１３から携帯電話機３のメールアドレスを取得し、そのアドレスにメール６を送信する（Ｓ２３）。携帯電話機３はメール６を受信すると、上記入退場判定情報に応じた所定のアプリケーションを起動することにより情報が提供される。これは、例えば、携帯電話機３を用いてナビゲーションを行うような場合に、利用者の位置検知・方向検知の情報として利用することができる。
【００２０】
図６は携帯電話機３を用いる場合に入退場で異なる情報を提供する場合の構成及び動作のフローチャートを示す。
携帯電話機３を改札Ｒ／Ｗ部４にタッチすると自動改札が行われる（Ｓ３１）。一方、センサ１４，１５から入退場の判定情報が得られると、情報サービス系システム８は情報取得Ｒ／Ｗ部５を介して携帯電話機３に対してアプリケーション起動のための入退場に応じたコマンドを発信する。次に、ユーザが情報の提供を受けたい場合に情報取得Ｒ／Ｗ部５にタッチすると（Ｓ３２）、携帯電話機３の入退場の判定情報に応じたアプリケーションが起動されて情報が提供される。
【００２１】
尚、センサ１４，１５が何も検知していない状態でＩＣカード２又は携帯電話機３が情報取得Ｒ／Ｗ部５にタッチされた場合は、何もしないようになされる。
また、IDｍ取得部１１がIDを取得し、メールを送信した後、次にＩＤを取得したとき、ユーザに提供する情報が同じである場合は、メールは再度送らない。
【００２２】
また、自動改札機１を通った利用者が駅構内又は街中のいずれかにいることが分かることから、駅構内又は街中に設置された他の端末と連動することができる。
例えば駅構内の所定の場所に情報取得Ｒ／Ｗ部５を有する情報提供用端末を設置する。自動改札機１は、利用者が通ったとき取得したIDを上記情報提供端末に送る。次に、利用者がこの情報提供端末の情報取得Ｒ／Ｗ部５にＩＣカード２又は携帯電話機３をタッチすると、上記IDに応じた例えば図７に示す画面が表示される。
【００２３】
図７において、１７は利用者、１８は現在位置(情報提供端末の設置場所)、１ａはＡ改札口の自動改札機、１ｂはＢ改札口の自動改札機である。１９は利用者１７が自動改札機１ｂから現在位置１８に来たことを示す移動軌跡(動線)である。
【００２４】
このように表示することにより、利用者１７は自分がどの改札口から入って現在位置にいるのかを把握することができる。また、事業者側にとっても駅構内における乗客の動線を把握することができる。このように情報提供端末を別に設けることにより、利用者の移動軌跡に応じた有益な情報を提供することができる。
また、携帯電話によるナビゲーションを行っている場合は、現在位置および進行方向の検知情報とすることができる。
【００２５】
以上説明した本実施の形態によれば次の効果を得ることができる。
・利用者は情報が欲しいときのみＩＣカード２又はＩＣチップを搭載した携帯電話機３を情報取得Ｒ／Ｗ部５にタッチすればよいので、使い勝手がよい。
・自動改札機１に対する入場・退場の判定に従来から用いられているセンサ１４，１５を有効に利用しているので、情報サーバ系システム８を従来の業務系システム７とは別に構成しても、従来のシステムを大幅に変更することなく実現することができる。
・情報サーバ系システム８は特に高いセキュリティを必要としないので、安価に構築することができる。
・利用者は２枚のカードを持つ必要がないので、使い勝手がよい。
【図面の簡単な説明】
【００２６】
【図１】本発明の実施の形態による情報提供システムを概念的に示す構成図である。
【図２】本発明の実施の形態による情報提供システムと従来の自動改札システムの全体を概念的に示すブロック図である。
【図３】利用者がＩＣカードを持つ場合の動作を示すフローチャートである。
【図４】利用者がＩＣチップ搭載携帯電話機を持つ場合の動作を示すフローチャートである。
【図５】利用者がＩＣカードと携帯電話機を持つ場合に入退場に応じた情報を提供する動作を示すフローチャートである。
【図６】利用者がＩＣチップ搭載携帯電話機を持つ場合に入退場に応じた情報を提供する動作を示すフローチャートである。
【図７】情報提供端末の表示画面の一例を示す構成図である。
【符号の説明】
【００２７】
１  自動改札機
２  ＩＣカード
３  ＩＣチップ搭載携帯電話機
４  改札Ｒ／Ｗ（読み書き）部
５  情報取得Ｒ／Ｗ部
６  電子メール
７  業務系システム
８  情報サービス系システム
１１  IDｍ取得部
１３  IDｍ管理部
１４，１５  センサ
１６  方向判定部
１７  利用者
１８  現在位置
１ａ，１ｂ  自動改札機
１９  移動軌跡
【図１】
2007018151.tif 000003
【図２】
2007018151.tif 000004
【図３】
2007018151.tif 000005
【図４】
2007018151.tif 000006
【図５】
2007018151.tif 000007
【図６】
2007018151.tif 000008
【図７】
2007018151.tif 000009